(57)【要約】【課題】袋体の製造業者や粒状物の販売業者、搬送業者や購入者等詰めた粒状物等を使用する多くの異なる業者が広く便利に利用することのできるスライダ付ファスナーを設けた袋体を提供する。【解決手段】  柔軟な二枚の薄膜で一方を表側薄膜とし他方を裏側の薄膜として成る袋体Ｆ１であって、該袋体上部に上から接着剤４と開口部１５とミシン目１６とファスナー３とをこの順に設けるとともに、前記接着剤４に剥離紙５を設置し、前記ファスナー３の一方の端部にスライダ６を取り付ける丈夫な袋体。【選択図】図２
2012041070.tif 000002
【特許請求の範囲】
【請求項１】
柔軟な二枚の薄膜で一方を表側薄膜とし他方を裏側の薄膜として成る分割型の袋体であって、該袋体上部に上から折れ線と開口部とミシン目とファスナーとをこの順に設けるとともに、前記一方の薄膜の表側の外面の端部近傍に接着剤を塗布し、該接着剤に剥離紙を設置し、前記ファスナーの一方の端部にスライダを取り付けることを特徴とするスライダ付ファスナーを設けた袋体。
【請求項２】
柔軟な二枚の薄膜で一方を表側薄膜とし他方を裏側の薄膜として成る分割型の袋体であって、該袋体上部に上から折れ線と開口部とミシン目とファスナーとをこの順に設けるとともに、前記ミシン目と開口部上端とをほぼ同等の位置とし、前記一方の薄膜の表側の外面の端部近傍に接着剤を塗布し、該接着剤に剥離紙を設置し、前記ファスナーの一方の端部にスライダを取り付けることを特徴とするスライダ付ファスナーを設けた袋体。
【請求項３】
前記スライダは、一方のスライダと他方のスライダとを分割する分割型スライダとするとともに、一方のスライダには凸部を形成し他方のスライダには凹部を形成してこれらを嵌合する構造とし、これらのスライダはスライドさせることによりファスナーを開閉する前記ファスナーの一方の端部にスライダを取り付けることを特徴とするスライダ付ファスナーを設けた袋体。
【請求項４】
前記スライダは、一方のスライダと他方のスライダとを分割する分割型スライダとするとともに、一方のスライダには突起を形成し、他方のスライダには凹溝を形成して一方のスライダを他方のスライダに嵌合する構造とし、前記一方のスライダにはファスナーを開口する突起が、他方のスライダにはファスナーを閉鎖する溝が、それぞれ設けられていることを特徴とする請求項１または請求項２に記載のスライダ付ファスナーを設けた袋体。
【発明の詳細な説明】
【技術分野】
【０００１】
本発明は、袋体、特にスライダ付ファスナーを設けた袋体であって、何度も開閉し且つ密封することのできるスライダ付ファスナーを設けた袋体に関する。
【背景技術】
【０００２】
一般に薄い合成樹脂製のファスナーを設けた袋体には、あられや豆類のおやつ或いはペットフード等の粒状物あるいは粉体等（以下、粒状物等とする）を収容し、一定量取り出した後は残りを密閉収容して何度も開閉し、保存して置くことが多い。この場合、ファスナーは、袋体の内壁の一方に設けた凸状係合部と、他方の内壁に設け前記凸状係合部を嵌め入れる凹状溝係合部と、からなり、袋体の開口部近傍に設けてある。
【０００３】
通常、粒状物等の詰め物をした袋体は、何度使用しても使用に耐え得るようなものを使用する。そのような袋体として、合成樹脂等の袋体の開口部に凸状係合部と、凹状溝係合部と、からなるファスナーを設けた閉じ具、特にファスナーにスライダを手でスライドさせて開閉する閉じ具を設けたものが提案さている（特許文献１）。
【先行技術文献】
【特許文献】
【０００４】
【特許文献１】特開２００２ー２５５１９７
【発明の概要】
【発明が解決しようとする課題】
【０００５】
薄い合成樹脂製の袋体は一般の消費者のみでなく豆類やペットフードのような粒状物を製造、販売する業者や運搬する配送業者も袋体に詰め込むために利用することが多い。特に製造、販売された袋体を購入した後、消費者は少しづつ使用し、残りは次回使用するするため保存して置く。しかし、保存時に開口部から空気が入ると詰め込んだ中のものが酸化しやすくなり長期間の保存に耐え得ないことが多い。更に、製造業者はなるべく早く製造した物を袋体へ詰める袋体を製造販売したく、販売業者はなるべく簡単な作業で一定量詰めて販売し、搬送作業は簡単な作業で詰めて搬送し、いずれにしてもこれら業者は詰め込み作業や搬送作業を簡単に済ませたいのが通常である。また、消費者も詰め込んだ収納物は長持ちさせつつ少しづつ使用することが多い。かかる製造業者や消費者が使用する袋体としては上記する特許文献１のようなものが使用されるが、何度使用しても丈夫で損傷せず、丈夫な袋体とするのが望ましい。
【０００６】
しかしながら、上記する袋体を扱う者はそれぞれの立場で都合良く使用する。すなわち、製造業者は製造した粒状物を詰めやすく、販売業者は販売しやすくして販売し、購入者は購入した粒状物等を一定量使用した後は長持ちするよう残りを保存する。また、それぞれの立場で袋体を従来より便利に利用することができれば袋体の需要範囲も広くなる。本発明はかかる課題に対処するためになされたものであり、製造業者や販売業者、搬送業者や購入者等詰めた粒状物等を使用する多くの異なる業者が広く便利に利用することのできる丈夫なスライダ付ファスナーを設けた袋体を提供することを目的とする。
【課題を解決するための手段】
【０００７】
本発明は上記課題を解決するためになされたものである。本発明は上記課題を解決するために、請求項１に記載の発明は、スライダ付ファスナーを設けた袋体が柔軟な二枚の薄膜で一方を表側薄膜とし他方を裏側の薄膜として成る分割型の袋体であって、該袋体上部に上から折れ線と開口部とミシン目とファスナーとをこの順に設けるとともに、前記一方の薄膜の表側の外面の端部近傍に接着剤を塗布し、該接着剤に剥離紙を設置し、前記ファスナーの一方の端部にスライダを取り付けることを特徴とする。
【０００８】
スライダ付ファスナーを設けた袋体は、柔軟な二枚の薄膜で一方を表側薄膜とし他方を裏側の薄膜として成る分割型の袋体であって、該袋体上部に上から折れ線と開口部とミシン目とファスナーとをこの順に設けるとともに、前記ミシン目と開口部上端とをほぼ同等の位置とし、前記一方の薄膜の表側の外面の端部近傍に接着剤を塗布し、該接着剤に剥離紙を設置し、前記ファスナーの一方の端部にスライダを取り付けることを特徴とする。
【０００９】
前記スライダ付ファスナーを設けた袋体は、スライダは、一方のスライダと他方のスライダとを分割する分割型スライダとするとともに、一方のスライダには凸部を形成し他方のスライダには凹部を形成してこれらを嵌合する構造とし、これらのスライダはスライドさせることによりファスナーを開閉する前記ファスナーの一方の端部にスライダを取り付けることを特徴とする。
【００１０】
前記スライダは、スライダ付ファスナーを設けた袋体は、一方のスライダと他方のスライダとを分割する分割型スライダとするとともに、一方のスライダには突起を形成し、他方のスライダには凹溝を形成して一方のスライダを他方のスライダに嵌合する構造とし、前記一方のスライダにはファスナーを開口する突起が、他方のスライダにはファスナーを閉鎖する溝が、それぞれ設けられていることを特徴とする。
【発明の効果】
【００１１】
本発明を上記手段とすれば、袋体を多くの範囲の業者が使用するすることができる。例えば粒状物の製造業者は袋体１そのものを製造・販売ができ、そのまま搬送することができる。また、販売業者は販売のため詰めやすくなり、搬送しやすくなる。そして、購入者は袋体１の剥離紙５を剥ぎ取り、ミシン目１６で折って封をして販売することができる。本発明の袋体は丈夫であり、繰り返して使用、密封することができる。また、収納物を詰めた袋体１の購入者はミシン目１６の位置で破り必要量使用した後はファスナー３をスライダ６で封をすることができるので袋体内部のものを酸化・腐敗させることなく密封することができる。そして袋体１に詰めた粒状物等は少しスライダ６を移動させて開け、何度でも少量づつ使用し、再びスライドさせて残りを密封保存することができる。
【図面の簡単な説明】
【００１２】
【図１】本発明の袋体とこの袋体にファスナとスライダを取り付けた状態の斜視図である。
【図２】本発明のファスナーにスライダを取り付け開口部を開けて粒状物等を入れるようにした状態の全体斜視図である。
【図３】本発明で使用する剥離紙を剥がし接着剤を袋体の内側に接着した状態の斜視図である。
【図４】図４は図３の状態の袋体の上部の一部の拡大図であって、図４（Ａ）は平面図であり図４（Ｂ）は正面図である。
【図５】図５（Ａ）は図４（Ｂ）のＡーＡ矢視図であり、図５（Ｂ）は、図４（Ｂ）のＢーＢ矢視図であり、図５（Ｃ）は図４（Ｂ）のＣーＣ矢視図であり、図５（Ｄ）は図４（Ｂ）のＤーＤである。
【図６】図６（Ａ）は本発明で使用される前記スライダの正面図であり、図６（Ｂ）は底面図である。
【図７】図７（Ａ）は図６（Ａ）のＡーＡ矢視図であり、図６（Ｂ）は図６（Ａ）のＢーＢ矢視図である。
【図８】図８（Ａ）は前記スライダを組み立てた状態の斜視図、図８（Ｂ）は分解途中の斜視図、図８（Ｃ）は二つのスライダ部材に分解した状態の斜視図である。
【発明を実施するための形態】
【００１３】
以下、本発明のスライダ付ファスナーを設けた袋体について説明する。
【００１４】
図１は、本発明の袋体１にファスナー３とスライダ６を取り付けた状態の斜視図である。この袋体１は、柔軟な二枚の薄膜２、２で形成され、一方を表側薄膜とし他方を裏側の薄膜とし、二方（１３、１３）を密閉して成る袋体１である。該袋体１上部には上から接着剤４と開口部１５ともなるミシン目１６とファスナー３とをこの順に設けてある。そして、前記一方の薄膜２の表側の外面の上端部近傍に接着剤４を塗布し、該接着剤４の上には剥離紙５を接着してある。更に、前記ファスナー３の一方の端部にスライダ６を取り付け、ファスナー方向にスライドさせて任意の位置で止めるようにしてある。なお、前記剥離紙５には判りやすくするため太めの線７（例えば赤色や黒色或いは緑色等の線）が入れてある。前記スライダ６の構成例については後述する。
【００１５】
図２は、本発明のファスナー３にスライダ６を取り付け、粒状物等を入れるようにした状態の全体斜視図である。この場合、開口部１５はミシン目１６を破断するとできるようにして設ける。すなわち、ミシン目１６は指等を使用して簡単に破断できるので、開口部１５としやすい。そして該開口部１５を開けて、計量器等で一定量の粒状物や粉状物等を詰める。粒状物等が一定量となったら詰め物を収納するのを停止し、開口部１５を閉鎖する。次に剥離紙５を接着剤４から剥がし、ミシン目１６の部分で折り、先端部をファスナー３の下側（袋体の内側）まで折り、接着剤４で接着する。図３は、剥離紙５を剥がし、接着剤４で上端部を袋体１の内側に接着した状態の斜視図である。但し、袋体１は詰めた物のため本来膨らんで見えるが、説明の都合上、詰め物や膨らみは省略してある。なお、折り曲げ部分はミシン目１６のより内側で折り曲げてもよい。
【００１６】
図３に示すような状態では粒状物や粉体等を入れる製造・販売業者は袋体１に一定量を簡単に詰め込んで密封することができる。また、販売業者や多量の袋体１を搬送する業者は、開口部１５から粒状物等を入れて詰めるだけで直ちに販売したり、搬送することができる。しかもこの袋体１にはスライダ６が取り付けてあるので密封と開口作業が便利である。
【００１７】
図４は図３の状態の袋体１の上部の一部の拡大図であって、図４（Ａ）は平面図であり図４（Ｂ）は正面図である。なお、図４に示すように、スライダ６は、ファスナー３の右部分（ミシン目１６部分より図の右端）にある。前記スライダ６は図６に示してあるが、この場合、該スライダ６はファスナー３に嵌めてファスナー方向にスライドさせるようにしてあり、ファスナー方向の任意の位置で停止させ袋体１の一部を開けることができる。
【００１８】
図５（Ａ）は図４（Ａ）のＡーＡ矢視図であり、図５（Ｂ）は図４（Ｂ）のＢーＢ矢視図であり、図５（Ｃ）は図４（Ｃ）のＣーＣ矢視図であり、図５（Ｄ）は図４の図４（Ｂ）ＤーＤ矢視図である。袋体１は、ミシン目１６部分を破断し、詰め物を充填した後剥離紙５を剥ぎ取り接着剤４で袋体１に接着する。袋体１のファスナー３でスライダ６をスライドさせる部分は、ファスナー３を開いて袋体１の中の詰め物を一部出せる状態となり、さらに元の状態にスライダ６をスライドさせると、ファスナー３は閉鎖される。上記説明のように、スライダ６をファスナー３部分でスライドさせると開口部１５は開閉されることになる。なお、Ｆ１とＦ２はファスー３となる部分である。すなわち、Ｆ１はファスナー３の凸部であり、Ｆ２はファスナー３の凹溝である。
【００１９】
図６（Ａ）は本発明で使用される前記スライダ６の正面図であり、図６（Ｂ）は底面図である。また、図７（Ａ）は図６（Ａ）のＡーＡ矢視図であり、図７（Ｂ）は図６（Ａ）のＢーＢ矢視図である。図８（Ａ）は前記スライダ６を組み立てた状態の斜視図、図８（Ｂ）は分解途中の斜視図、図８（Ｃ）は二つのスライダ部材に分解した状態の斜視図である。このスライダ６に示すように、該スライダ６は一方のスライダ部材６ａと他方のスライダ部材６ｂとより成る分割型であり、一方のスライダ部材６ｂには突起部２２Ａと  突起部２２Ａの両側には二本の突出部２２Ｅ、２２Ｅが設けてあるが、該二本の突出部２２Ｅ、２２Ｅの先端部には突起２２Ｉ、２２Ｉが形成してある。また、他方のスライダ部材６ｂには前記二本の突出部２２Ｆ、２２Ｅを嵌め入れる穴２３Ｆと一方の突出部２２Ｅ、２２Ｅの先端の突起２２Ｉを係止させる段部２３Ｈ、２３Ｈ及び２３Ｌ、２３Ｌが設けてある。更に、該他方のスライダ部材６ｂの下部両側には、それぞれ２３Ｇ、２３Ｇ、２３Ｅ、２３Ｅが形成してある。前記突出部２３Ｅ、２３Ｅの間２３Ｃにはファスナー３の突起部Ｆ１、Ｆ２とを押し付けて嵌合する程度の狭窄部１８が形成される。なお、分割形は実施例に限らず、凸部と凹部で嵌合するようにすればよい。
【００２０】
図８（Ｃ）に示すように、スライダ６を袋体１に取り付けるときには、この図の状態で取り付ける。すなわち、一方のスライダ部材６ｂの突起部２２Ａを袋体１のファスナー３の雄係合部材Ｆ１と雌係合部材Ｆ２との間に割り込ませて一方の６ｂを袋体１の端からファスナー３に沿って滑り込ませ、図８（Ｂ）に示すように、突出部２２Ｅ、２２Ｅを他方のスライダ部材６ａに設けた穴２２Ｆに嵌め入れる。そして袋体１のファスナー３に取り付けた状態ではスライダ６は組み立てられて図８（Ａ）の状態となっている。
【００２１】
本発明に係る袋体は図１の状態で袋体を製造し、販売することができる。また、粒状物の販売者は図２の状態で計量しつつ一定量を袋体に均等に詰めて搬送し販売することができる。さらに、一般の購入者は、図３の状態で購入し、スライダ６をファスナー３でスライドさせて袋体に詰めた粒状物等や粉体を少量使用することができる。すなわち、一部を使用するときには接着剤部分を接着してスライダ６を少しだけスライドさせ内部のものを必要なだけ使用し、残りを保存することができる。このように、ミシン目１６を破断し、スライダ６を任意の位置へスライドさせることができる。つまりスライドさせることにより必要量だけ取り出すことができる。そして残りはスライダ６を元に戻せばまた密封保存することができる。また、上記実施例だけでなく、分割型で且つ一方のスライド部材と他方のスライド部材とに凸部と凹部とを設け嵌合する構造であれば他の分割型の実施例であってもよい。さらに本実施例の袋体に使用するのであればスライダ６は一体型のものであってもよい。
【産業上の利用可能性】
【００２２】
本発明のスライダ付袋体は包装容器の製造者にとって従来無かった袋体を製造・販売することができる。粒状物の販売業者には極めて便利な袋体に密封が可能となる。更に搬送業者にとって搬送しやすい商品となり、製造業者から消費者まで広く産業上の利用性が高くなる。
【符号の説明】
【００２３】
１    袋体            
２    薄膜２
３    ファスナー
４    接着剤
５    剥離紙
６    スライダ
１５  開口部
１６  ミシン目
１８  狭窄部
【図１】
2012041070.tif 000003
【図２】
2012041070.tif 000004
【図３】
2012041070.tif 000005
【図４】
2012041070.tif 000006
【図５】
2012041070.tif 000007
【図６】
2012041070.tif 000008
【図７】
2012041070.tif 000009
【図８】
2012041070.tif 000010